(57)【特許請求の範囲】
【請求項１】
投影部と撮像部とを収容する筐体と、
前記筐体に設けられ前記投影部からの投影光を射出させる投影窓と、
前記筐体に設けられ前記撮像部に対して被写体光を入射させる撮影窓と、
前記投影窓を識別させるための光沢を有し、前記撮影窓の周囲よりも反射率が高い投影窓識別部と
を備える
ことを特徴とする電子機器。
【請求項２】
前記投影窓識別部は、前記投影窓の周囲にのみ設けられる
ことを特徴とする請求項１に記載の電子機器。
【請求項３】
前記投影窓識別部は、金属メッキにより形成されている
ことを特徴とする請求項１または２に記載の電子機器。
【請求項４】
前記投影部で投影を行うモードと前記撮像部で撮像を行うモードとを切り換える切換え部材と、
前記撮影窓を前記投影窓よりも目立ちづらくするためのバリアとを備え、
前記切換え部材によって、前記投影を行うモードに切り換えた際、前記バリアによって前記撮影窓を目立ちづらくする
ことを特徴とする請求項１から請求項３のいずれか一項に記載の電子機器。
【発明の詳細な説明】
【技術分野】
【０００１】
本発明は、電子機器に関するものである。
【背景技術】
【０００２】
プロジェクタを備え、筐体に設けられた投影窓から投影光を射出させて投影画像を投影面上に投影する電子機器が知られている（例えば、特許文献１参照）。
【先行技術文献】
【特許文献】
【０００３】
【特許文献１】特開２００３−１５２２４号公報
【発明の概要】
【発明が解決しようとする課題】
【０００４】
ところで、この電子機器においては、投影窓の位置を操作者及び画像の鑑賞者が容易に識別できるようにすることが操作性を高めるために好ましい。
【０００５】
本発明の目的は、投影窓の位置を容易に識別できる電子機器を提供することである。
【課題を解決するための手段】
【０００６】
本発明の電子機器は、投影部と撮像部とを収容する筐体と、前記筐体に設けられ前記投影部からの投影光を射出させる投影窓と、前記筐体に設けられ前記撮像部に対して被写体光を入射させる撮影窓と、前記投影窓を識別させるための光沢を有し、前記撮影窓の周囲よりも反射率が高い投影窓識別部とを備えることを特徴とする。
【発明の効果】
【０００７】
本発明の電子機器によれば、投影窓の位置を容易に識別することができる。
【図面の簡単な説明】
【０００８】
【図１】実施の形態に係るカメラの前面を示す図である。
【図２】実施の形態に係るカメラの背面を示す図である。
【図３】実施の形態に係るカメラのシステム構成を示す図である。
【発明を実施するための形態】
【０００９】
以下、図面を参照して本発明の実施の形態に係る電子機器についてカメラを例に説明する。図１は、実施の形態に係るカメラの前面を示す図である。カメラ２はプロジェクタを備えるデジタルカメラであって、カメラ２の筐体４はアルミニウム合金板等からなる前面カバー６及び背面カバー８を備えている。ここで前面カバー６及び背面カバー８の外観処理には放熱効率を考慮しアルマイト処理が用いられている。
【００１０】
前面カバー６には、被写体光を入射させる撮影窓１０、画像を投影するプロジェクタ投影窓１２、被写体を照射する光を射出するフラッシュ窓１４が設けられている。また、筐体４の上面には、レリーズ指示を行うレリーズボタン１８、カメラ撮影を行う撮影モードとプロジェクタ投影を行うプロジェクタモードとを切り換える切換ボタン（図示せず）、投影部５４（図３参照）のフォーカス調整を行うフォーカスレバー（図示せず）等が設けられている。ここでプロジェクタ投影窓１２の近傍、即ちプロジェクタ投影窓１２の周囲の筐体４の外面には、金属メッキであるクロームメッキにより形成され、光沢を有しプロジェクタ投影窓１２の周り飾りとしての機能を有する平面状の投影窓識別部１３が設けられている。
【００１１】
図２は、実施の形態に係るカメラの背面を示す図である。背面カバー８には、撮像画像を表示するＬＣＤ表示部２２、投影または再生する画像を選択するマルチセレクタ２４、投影または再生の開始を指示する再生ボタン２６、投影または再生の終了を指示する停止ボタン２８等が設けられている。
【００１２】
図３は、実施の形態に係るカメラのシステム構成を示すブロック図である。カメラ２はＣＰＵ４０を備え、ＣＰＵ４０には、操作部４２、ＬＣＤ表示部２２の表示制御を行う表示制御部４４、フラッシュ窓１４を介して被写体を照射する光を射出する照明部４５、撮影窓１０から入射し撮影レンズを介した被写体光を撮像して撮像信号（蓄積電荷としてのアナログ信号）を生成するＣＣＤ或いはＣＭＯＳ等により構成される撮像部４６、撮像部４６から出力された撮像信号を図示しないＡ／Ｄ変換部においてＡ／Ｄ変換することにより生成された画像データを記憶するバッファメモリ４８、バッファメモリ４８に記憶されている画像データに対して、ホワイトバランス調整、輪郭補償、ガンマ補正等の画像処理を行う画像処理部５０、撮像画像や投影画像、種々のデータを記憶するメモリカード５２、メモリカード５２に記憶された画像等を投影する投影部５４が接続されている。
【００１３】
ここで、操作部４２には、レリーズボタン１８、切換ボタン、マルチセレクタ２４、再生ボタン２６及び停止ボタン２８等が含まれている。また、投影部５４は、光源であるＬＥＤ６４の点灯及び消灯を行う電源制御部６６、投影する画像を表示するＬＣＯＳ６８の表示制御を行う投影制御部７０を備えている。
【００１４】
次に、実施の形態に係るカメラの投影部の投影処理について説明する。操作者は、投影面から最適な距離だけ離れた位置にカメラ２を設置し、切換えボタンを操作することによりプロジェクタモードに切換える。マルチセレクタ２４を操作しＬＣＤ表示部２２に画像を表示させて画像の確認を行いながら投影画像を決定し投影部５４により画像の投影を行う。即ち、投影部５４は、メモリカード５２から読み出された画像データに基づく画像をＬＣＯＳ６８に表示し、電源制御部６６によりＬＥＤ６４を点灯させることにより、プロジェクタ投影窓１２を介してＬＣＯＳ６８に表示された画像の投影を行う。
【００１５】
この実施の形態に係るカメラによれば、投影窓の周囲にクロームメッキにより形成された投影窓識別部を設けているため、画像の鑑賞者等に筐体のどの部分から投影光が射出されるかを認識させることができる。また、筐体の前面カバーにはアルマイト処理が施されており投影窓識別部はクロームメッキにより形成されているため、投影窓識別部は前面カバーの他の部分よりも反射率が高く、光沢を有し目立つことから投影窓を容易に認識させることができる。更に、撮影窓には識別部を設けず投影窓に対してのみ投影窓識別部を設けていることから、撮影窓と投影窓の識別を容易に行うことができる。
【００１６】
なお、上述の実施の形態に係るカメラにおいては、クロームメッキにより形成された投影窓識別部１３を設けているが、プロジェクタ投影窓１２を識別させるための例えば矢印等のマーク、例えばＬＥＤ等の発光素子をプロジェクタ投影窓１２の周囲に設けてもよい。また、ＬＥＤを設ける場合には、投影部５４により投影を行っている場合にＬＥＤを発光させ、投影を行っていない場合には消灯するようにしてもよい。
【００１７】
また、上述の実施の形態に係るカメラにおいては、プロジェクタ投影窓１２の識別を容易にするために、クロームメッキにより投影窓識別部１３が形成されているが、投影窓識別部１３を赤色等の目立つ色で塗装してもよい。
【００１８】
また、上述の実施の形態に係るカメラにおいては、プロジェクタ投影窓１２の識別を容易にするために、前面カバー６は非光沢、投影窓識別部１３は光沢を有し目立つようにしているが、前面カバー６は光沢、投影窓識別部１３は非光沢としてもよい。これにより、非光沢の投影窓識別部１３を目立つようにすることができる。
【００１９】
また、撮影窓にバリアを設けて、前述したカメラ撮影を行う撮影モードとプロジェクタ投影を行うプロジェクタモードとを切り換える切換ボタンを操作して、プロジェクタモードへ切り換えた際に、連動して撮影窓のバリアが閉じるようにしてもよい。これにより、プロジェクタモードでは、バリアを閉じたことにより、撮影窓を目立たなくすることができる。
【符号の説明】
【００２０】
２…カメラ、４…筐体、６…前面カバー、８…背面カバー、１０…撮影窓、１２…プロジェクタ投影窓、１３…投影窓識別部、４６…撮像部、５４…投影部。
【図１】
0005402324.tif 000002
【図２】
0005402324.tif 000003
【図３】
0005402324.tif 000004